(57)【特許請求の範囲】
【請求項１】
患者に実施可能な診療行為を示すデータごとに、診療報酬点数と、患者一人について実施すると前記診療報酬点数に応じた診療報酬の請求ができる出来高評価の対象であることを示す情報と、患者一人について実施すると一日当たりの診療報酬点数の上限までは前記診療報酬点数に応じた診療報酬の請求ができ前記上限を超えた場合は前記上限に応じた診療報酬の請求ができる包括評価の対象であることを示す情報と、効用を示すデータと、を記憶する記憶手段にアクセス可能なコンピュータに、
任意の診療行為を示すデータの入力を受け付ける入力工程と、
前記入力工程によって入力された診療行為（以下、「入力診療行為」という）を示すデータが入力された場合、前記記憶手段を参照して、前記入力診療行為を示すデータが、前記出来高評価または前記包括評価のうちいずれの評価の対象であるか否かを判定する判定工程と、
前記判定工程によって前記入力診療行為を示すデータが前記包括評価の対象であると判定された場合、前記記憶手段を参照して、前記入力診療行為を示すデータと同効用で、かつ、前記入力診療行為を示すデータの診療報酬点数よりも低い診療報酬点数の診療行為を示すデータを、医師に行わせる診療行為を示すデータに決定する決定工程と、
前記決定工程によって決定された診療行為を示すデータを出力する出力工程と、
を実行させることを特徴とする診療管理プログラム。
【請求項２】
前記記憶手段は、さらに、医療機関における患者未収金の累積額と前記医療機関における所定の医業収益悪化限界額とを関連付けて記憶しており、
前記判定工程によって前記入力診療行為を示すデータが前記包括評価の対象であると判定された場合、前記記憶手段を参照して、前記患者未収金の累積額が、前記所定の医業収益悪化限界額よりも大きいか否かを判断する判断工程を前記コンピュータに実行させ、
前記決定工程は、
前記判断工程により、前記患者未収金の累積額が前記所定の医業収益悪化限界額よりも大きいと判断された場合、前記記憶手段を参照して、前記入力診療行為を示すデータと同効用で、前記入力診療行為を示すデータの診療報酬点数よりも低い診療報酬点数の診療行為であって、かつ、最低の診療報酬点数の診療行為を示すデータを、医師に行わせる診療行為を示すデータに決定することを特徴とする請求項１に記載の診療管理プログラム。
【請求項３】
患者に実施可能な診療行為を示すデータごとに、診療報酬点数と、患者一人について実施すると前記診療報酬点数に応じた診療報酬の請求ができる出来高評価の対象であることを示す情報と、患者一人について実施すると一日当たりの診療報酬点数の上限までは前記診療報酬点数に応じた診療報酬の請求ができ前記上限を超えた場合は前記上限に応じた診療報酬の請求ができる包括評価の対象であることを示す情報と、効用を示すデータと、を記憶する記憶手段にアクセス可能なコンピュータが、
任意の診療行為を示すデータの入力を受け付ける入力工程と、
前記入力工程によって入力された診療行為（以下、「入力診療行為」という）を示すデータが入力された場合、前記記憶手段を参照して、前記入力診療行為を示すデータが、前記出来高評価または前記包括評価のうちいずれの評価の対象であるか否かを判定する判定工程と、
前記判定工程によって前記入力診療行為を示すデータが前記包括評価の対象であると判定された場合、前記記憶手段を参照して、前記入力診療行為を示すデータと同効用で、かつ、前記入力診療行為を示すデータの診療報酬点数よりも低い診療報酬点数の診療行為を示すデータを、医師に行わせる診療行為を示すデータに決定する決定工程と、
前記決定工程によって決定された診療行為を示すデータを出力する出力工程と、
を実行することを特徴とする診療管理方法。
【発明の詳細な説明】
【技術分野】
【０００１】
この発明は、医師が患者におこなう診療行為を管理する診療管理プログラム、該プログラムを記録した記録媒体、診療管理装置、および診療管理方法に関する。
【背景技術】
【０００２】
従来から、医師が診療を行う場合、出来高払いや包括払いなどを意識せずに、また、診療時に診療報酬点数の高い行為、低い行為を考慮せずに、診療行為を決定している。出来高払いの時は診療行為を実施した分だけ請求できるため、診療報酬点数が高い診療行為を実施した方が医業収益の向上に繋がる。
【０００３】
すなわち、上述した出来高払いは、すべての患者への請求方式は実施した診療行為の費用を１つ１つ積み上げて、保険診療に要した費用の合計を算定する方法である。つまり、患者に対して診療行為を実施すればするほど、医療機関の収益となっていた。
【０００４】
平成１５年４月に、特定機能病院の一般病棟に、特定機能病院の機能を適切に評価し、その機能にふさわしい良質で効率的な医療を提供する観点から、診断群分類（Ｄｉａｇｎｏｓｉｓ  Ｐｒｏｃｅｄｕｒｅ  Ｃｏｍｂｉｎａｔｉｏｎ）に基づいた包括的支払方法と呼ばれる新しい診療報酬の支払い方法が導入され、現在、民間病院へも拡充されている。
【０００５】
診断群分類とは、１６の「主要診断群」と呼ばれる疾患分野ごとに病名・診療内容を分類した表であり、具体的には、「傷病名」、「診療行為（手術、処置等）」、「副傷病の有無」、「重症度等」の要素により分類されている。また、診断群分類には、病名・診療内容ごとに、入院日数に応じて変動する入院１日当たりの点数が関連付けられており、病名・診療内容の１日あたりに支払う医療費（診療報酬額）を決定することができる。
【０００６】
上述した診断群分類に基づいた包括的支払方法により医療費が決定される患者、すなわち、包括評価の対象となる患者は、一般病棟に入院している患者である。この「診断群分類」を活用した包括評価制度においては、診療報酬額は、下記式（１）に示すように、包括評価による診療報酬額と出来高評価による診療報酬額とを合算した額となる。
【０００７】
１日あたりの診療報酬額
＝（包括評価＋出来高評価）×１０［円］
＝（診断群分類毎の在院日数に応じた１日当たりの点数×医療機関別係数＋出来高評価）×１０［円］
・・・（１）
【０００８】
ここで、包括評価となる診療行為には、たとえば、入院基本料、画像診断、投薬、注射、診療群報酬点数が１０００点未満の処置などがあげられる。そして、包括評価による診療報酬額は、診断群分類ごとに定められた１日当たりの点数、医療機関毎に設定された医療機関別係数、および在院日数により決定される。
【０００９】
つまり、上記式（１）に示したように、包括評価対象の患者に対しては、包括評価の対象となる診療行為をどれほど実施したとしても、診療報酬の請求を１日当たりの点数を超えて請求することはできないようになっている。
【００１０】
一方、一般病棟に入院している患者以外の患者、たとえば、外来の患者や特定病棟に入院している患者は、出来高評価の対象となり、出来高評価となる診療行為には、たとえば、手術料や麻酔料、診療報酬点数が１０００点以上の処置などの技術的な行為があげられる。なお、「処置」とは、手術と違い、たとえば人口透析のように、繰り返しておこなう技術的な診療行為である。出来高評価対象の患者に対する診療報酬額は、上記式（１）において包括評価＝０とした場合の金額となる。
【００１１】
また、下記特許文献１には、薬剤費部分の上限額を超えない範囲で処方できる代替可能な医薬品を表示する処方支援システムが開示されている。処置の入力をすると診療報酬の表示による病院収益の確認をすることができる。また、下記特許文献２には、傷病名と診療部位を含む診療条件を入力し、診療処置記録手段から診療処置を読み出す診療処置決定装置が開示されている。
【００１２】
【特許文献１】特開２００２−２５１４５８号公報
【特許文献２】特開２００１−１９８０９０号公報
【発明の開示】
【発明が解決しようとする課題】
【００１３】
しかしながら、上述した従来技術では、出来高評価対象の患者に対しては、当該患者の保険情報や病名などの情報から算出する当月の一部負担金合計額や未収金情報などを考慮されずに、出来高評価の診療報酬額が決定されてしまう場合がある。また、医師は、診療報酬点数が異なる同効果の診療行為がある場合でも医師の判断で診療行為を決定している場合がある。したがって、医業収益に少なからず悪影響を与えるという問題があった。
【００１４】
たとえば、未収金が多い出来高評価対象の患者に対して、同効果の診療行為がある場合、かつ診療報酬点数が高い診療行為を実施した場合に、さらに患者未収となる可能性があるため、医療機関が負担することになり、医業収益の悪化に繋がるという問題があった。
【００１５】
また、包括払いでは定額を請求するため診療報酬点数が低い診療行為を実施した方が医業収益の向上に繋がるが、逆に定額以上の診療行為は医療機関の負担となる。すなわち、包括評価対象の患者に対しては、包括評価対象の診療行為を実施する場合、診療報酬点数が低い同効果の診療行為を実施し、１日当たりの点数より低く抑制できれば、それ以上は医業収益となるが、医師は、診療行為の入力に際し医業収益を考慮していない場合が多く、医業収益に少なからず悪影響を与えるという問題があった。
【００１６】
この発明は、上述した従来技術による問題点を解消するため、患者に対して適切な診療行為をおこなうとともに、効率的な医業収益の向上を図ることができる診療管理プログラム、該プログラムを記録した記録媒体、診療管理装置、および診療管理方法を提供することを目的とする。
【課題を解決するための手段】
【００１７】
上述した課題を解決し、目的を達成するため、この発明にかかる診療管理プログラム、該プログラムを記録した記録媒体、診療管理装置、および診療管理方法は、患者に実施可能な診療行為を示すデータごとに、診療報酬点数と、患者一人について実施すると前記診療報酬点数に応じた診療報酬の請求ができる出来高評価の対象であることを示す情報と、患者一人について実施すると一日当たりの診療報酬点数の上限までは前記診療報酬点数に応じた診療報酬の請求ができ前記上限を超えた場合は前記上限に応じた診療報酬の請求ができる包括評価の対象であることを示す情報と、効用を示すデータと、を記憶する記憶手段にアクセス可能なコンピュータが、任意の診療行為を示すデータの入力を受け付け、入力された診療行為（以下、「入力診療行為」という）を示すデータが入力された場合、前記記憶手段を参照して、前記入力診療行為を示すデータが、前記出来高評価または前記包括評価のうちいずれの評価の対象であるか否かを判定し、前記入力診療行為を示すデータが前記包括評価の対象であると判定された場合、前記記憶手段を参照して、前記入力診療行為を示すデータと同効用で、かつ、前記入力診療行為を示すデータの診療報酬点数よりも低い診療報酬点数の診療行為を示すデータを、医師に行わせる診療行為を示すデータに決定し、決定された診療行為を示すデータを出力する。
【発明の効果】
【００４１】
本発明にかかる診療管理プログラム、該プログラムを記録した記録媒体、診療管理装置、および診療管理方法によれば、患者に対して適切な診療行為をおこなうとともに、効率的な医業収益の向上を図ることができるという効果を奏する。
【発明を実施するための最良の形態】
【００４２】
以下に添付図面を参照して、この発明にかかる診療管理プログラム、該プログラムを記録した記録媒体、診療管理装置、および診療管理方法の好適な実施の形態を詳細に説明する。
【００４３】
（診療管理システムのシステム構成）
まず、この発明の実施の形態にかかる診療管理システムのシステム構成について説明する。図１は、この発明の実施の形態にかかる診療管理システムのシステム構成図である。図１において、診療管理システム１００は、病院や診療所などの医療機関に設置される。診療管理システム１００は、診療管理装置１０１と、クライアント端末１０２とが、ＬＡＮ，ＷＡＮ，インターネットなどのネットワーク１１０に接続され、相互に交信可能とされている。
【００４４】
診療管理装置１０１は、データベース１０３内の各種テーブルに格納されている患者情報や診療報酬額、医療行為などの情報を管理するコンピュータ装置である。また、クライアント端末１０２は、医療機関内の受付などの事務処理を担当する医事課や医師が診療行為をおこなう診察室などに設置されており、診療管理装置１０１にアクセスして、患者情報や診療報酬額、医療行為などの情報の、入力、登録、更新、呼び出し、表示などの各種処理を実行するコンピュータ装置である。
【００４５】
（コンピュータ装置のハードウェア構成）
つぎに、図１に示したコンピュータ装置（診療管理装置１０１やクライアント端末１０２）のハードウェア構成について説明する。図２は、図１に示したコンピュータ装置のハードウェア構成を示すブロック図である。図２において、コンピュータ装置は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、着脱可能な記録媒体の一例としてのＦＤ（フレキシブルディスク）２０７と、ディスプレイ２０８と、Ｉ／Ｆ（インターフェース）２０９と、キーボード２１０と、マウス２１１と、スキャナ２１２と、プリンタ２１３と、を備えている。また、各構成部はバス２００によってそれぞれ接続されている。
【００４６】
ここで、ＣＰＵ２０１は、コンピュータ装置の全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００４７】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶したり、ＦＤ２０７に記憶されたデータをコンピュータ装置に読み取らせたりする。
【００４８】
また、着脱可能な記録媒体として、ＦＤ２０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。ディスプレイ２０８は、カーソル、アイコンあるいはツールボックスをはじめ、文書、画像、機能情報などのデータを表示する。このディスプレイ２０８は、たとえば、ＣＲＴ、ＴＦＴ液晶ディスプレイ、プラズマディスプレイなどを採用することができる。
【００４９】
Ｉ／Ｆ２０９は、通信回線を通じてインターネットなどのネットワーク１１０に接続され、このネットワーク１１０を介して他の装置に接続される。そして、Ｉ／Ｆ２０９は、ネットワーク１１０と内部のインターフェースを司り、外部装置からのデータの入出力を制御する。Ｉ／Ｆ２０９には、たとえばモデムやＬＡＮアダプタなどを採用することができる。
【００５０】
キーボード２１０は、文字、数字、各種指示などの入力のためのキーを備え、データの入力をおこなう。また、タッチパネル式の入力パッドやテンキーなどであってもよい。マウス２１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００５１】
スキャナ２１２は、画像を光学的に読み取り、コンピュータ装置内に画像データを取り込む。なお、スキャナ２１２は、ＯＣＲ機能を持たせてもよい。また、プリンタ２１３は、画像データや文書データを印刷する。プリンタ２１３には、たとえば、レーザプリンタやインクジェットプリンタを採用することができる。
【００５２】
（データベース１０３内のテーブル）
つぎに、図１に示したデータベース１０３に格納されているテーブルについて説明する。データベース１０３には、患者マスタ（図３）、一部負担金一月上限額マスタ（図４）、収納マスタ（図５）、請求条件設定マスタ（図６）、医業収益設定マスタ（図７）、診療マスタ（図８）、効用マスタ（図９）が格納されている。以下、順に図面を用いて説明する。
【００５３】
図３は、患者マスタを示す説明図である。患者マスタ３００は、患者情報を格納するマスタファイルである。図３に示したように、患者マスタ３００には、「患者番号」、患者の「氏名」、「算定条件」、「入外区分」、「保険者番号」、「公費」、「傷病名」、「一部負担金一月上限額」、「包括評価上限額」、「請求方式」、および「在院日数」などの患者情報が、患者ごとに登録されている。
【００５４】
「患者番号」とは、患者を識別する患者固有の番号である。クライアント端末１０２から患者番号を入力するだけで、該当する患者の患者情報を診療管理装置１０１から呼び出して、クライアント端末１０２に表示することができる。
【００５５】
「算定条件」とは、診療報酬請求額を算定するための条件であり、患者の属性をフラグ化してあらわしている。具体的には、たとえば、年齢や所得により５種類のフラグ（「０」〜「４」）によって患者の属性をあらわしている。このフラグの属性の内容は以下のとおりである。
【００５６】
「０」：一般
「１」：老人（低所得Ｉ）
「２」：老人（低所得II）
「３」：一般老人
「４」：老人（一定以上所得者）
【００５７】
「入外区分」とは、患者が入院しているか外来であるかをあらわすフラグである。図３においては、「０」が外来、「１」が入院をあらわしている。この入外区分は、たとえば、医事課において事務担当者がクライアント端末１０２を操作して設定する。
【００５８】
「保険者番号」とは、患者が加入している保険組合などの保険者を識別する番号である。この保険者番号や患者の氏名、患者番号を手掛かりとして、データベース１０３に登録されている患者の保険証の情報を呼び出すことができる。また、「公費」とは、特定の病気の場合に国から支給される補助金の金額を特定するための識別番号である。
【００５９】
「一部負担金一月上限額」とは、出来高評価に関する一月当たりの請求額である。すなわち、出来高払いにおいては、患者の負担金は、全額ではなく、上述した患者の属性等によって、その一部、たとえば３割負担といったように法律上決められている。たとえば、一般の患者（上記算定条件のフラグ＝０）の場合は、一部負担金一月上限額は、７２０００円／月となる。一部負担金一月上限額は、後述する一部負担金一月上限額マスタを用いて設定される。
【００６０】
そして、患者に対する請求金額が、一部負担金一月上限額以内である場合、当該請求金額は患者が支払うこととなり、一部負担金一月上限額を超えている場合、一部負担金一月上限額までは患者が支払い、一部負担金一月上限額を超えた超過分の金額については、当該患者が加入している保険組合などの保険者（保険者番号により特定）が支払うこととなる。
【００６１】
「包括評価上限額」とは、包括評価に関する１日あたりの請求額である。すなわち、入院日数に応じた１日あたりの傷病名に応じた診療報酬点数に、医療機関別係数と１０[円]を乗じた金額である。
【００６２】
「請求方式」とは、出来高払いまたは包括払いといった請求方式を判別するフラグであり、「０」が外来、「１」が入院をあらわしている。請求方式は、たとえば、医事課において事務担当者がクライアント端末１０２を操作して設定する。「在院日数」とは、包括請求対象となる患者の在院（入院）日数である。在院日数は、日付の更新に応じて自動的に計数される。
【００６３】
つぎに、一部負担金一月上限額マスタについて説明する。図４は、一部負担金一月上限額マスタを示す説明図である。一部負担金一月上限額マスタ４００は、傷病ごとの一部負担金一月上限額を格納するマスタファイルである。図４において、一部負担金一月上限額マスタ４００には、「入外区分」、「算定条件」、「一部負担金一月上限額」、「包括評価上限額」、および「請求方式」が、病名ごとに登録されている。これら各項目の定義は、図３に示した定義と同一であるため、個々の項目の説明は省略する。
【００６４】
一部負担金一月上限額は、患者情報の登録の際、入外区分、算定条件、請求方式、および病名が決定されると、電子化された診断群分類表を参照することで、一部負担金一月上限額または包括評価上限額が設定される。そして、設定された一部負担金一月上限額または包括評価上限額が患者マスタ３００に登録されることとなる。たとえば、傷病名が「結核」、入外区分が「０」（外来）、算定条件が「０」（一般）、請求方式が「０」（出来高）である場合、一部負担金一月上限額は「１０，０００円」となる。
【００６５】
なお、一部負担金一月上限額マスタ４００に、患者の傷病名が登録されていない場合には、入外区分や算定条件から、一部負担金一月上限額や包括評価上限額を算出する。また、患者が加入している保険者や公費によっては、一部負担金一月上限額マスタ４００に登録されている傷病名の一部負担金一月上限額が変動する場合もある。
【００６６】
このような場合、詳細な算出方法は、本実施の形態では問わないが、たとえば、診療管理装置１０１またはクライアント端末１０２において所定の算出プログラムを実行することで算出することとしてもよく、また、医師または医事課の事務担当者が算出した金額を診療管理装置１０１に入力することとしてもよい。
【００６７】
つぎに、収納マスタについて説明する。図５は、収納マスタを示す説明図である。収納マスタは、患者への請求金額に関する情報が格納されているマスタファイルである。図５において、収納マスタ５００には、「請求年月」、「請求金額」、「患者未収金」、「包括評価請求合計額」、および「請求方式」が、患者（患者番号）ごとに登録されている。
【００６８】
「請求年月」とは、患者に請求した年月である。「請求金額」とは、請求年月に示された月に患者に請求した合計金額である。合計金額の内訳は、出来高評価については当該月の請求金額であり、包括評価については当該月の一日あたりの請求金額である。「患者未収金」とは、当該患者が支払えなかった金額である。
【００６９】
「包括評価請求合計額」とは、包括評価の診療行為を実施した場合の包括評価合計額である。「請求方式」とは、出来高払いまたは包括払いといった請求方式を判別するフラグであり、図３および図４に対応して「０」が外来、「１」が入院をあらわしている。
【００７０】
つぎに、請求条件設定マスタについて説明する。図６は、請求条件設定マスタを示す説明図である。請求条件設定マスタ６００は、医療機関において請求額の条件を設定するためのマスタファイルであり、出来高評価の算出に用いられる。請求条件設定マスタ６００には、「差額請求限度額」と「未収金限界額」とが登録される。
【００７１】
「差額請求限度額」とは、一部負担金一月上限額から現在の請求金額を引いた差額のしきい値となる金額（限度額）である。「差額請求限度額」は、診療管理システム１００を導入する医療機関ごとに自由に設定することができる。この差額請求限度額と上記差額との比較結果は、医業収益上最適な診療行為に切り替える条件判定に使用される。
【００７２】
具体的には、たとえば、現在と同一月の請求額が一部負担金一月上限額を超えていない場合であっても、上記差額が差額請求限度額を超えていれば、医師によりクライアント端末１０２から入力された診療行為よりも診療報酬点数が高い診療行為のみを診療マスタから抽出してクライアント端末１０２に一覧表示させる。これにより、医師が入力した診療行為よりも診療報酬点数の高い診療行為を選択するように、当該医師に対して促すことができる。
【００７３】
したがって、今回選択される診療行為により、患者に対する請求額が、一部負担金一月請求額を超える可能性が高くなり、その超過分の金額を、患者が加入している保険組合などの保険者から確実に取得することができ、医業収益の向上を図ることができる。
【００７４】
「未収金限界額」とは、患者の未収金の金額の限界額である。この未収金限界額も、診療管理システム１００を導入する医療機関ごとに自由に設定することができる。この未収金限界額と患者の未収金の金額との比較結果は、診療行為を切り替える条件判定に使用される。
【００７５】
具体的には、たとえば、患者の未収金の金額が未収金限界額を超えている場合、当該患者に対して診療報酬点数が高い診療行為をおこなっても、患者からさらに請求できない。したがって、未収金限界額を超えた場合には、診療報酬点数が低い診療行為を選択するように、当該医師に対して促すことで、医業収益の悪化を防止することができる。
【００７６】
つぎに、医業収益設定マスタについて説明する。図７は、医業収益設定マスタを示す説明図である。医業収益設定マスタ７００は、医療機関の収益を管理するためのマスタファイルであり、包括評価の算出に用いられる。医業収益設定マスタ７００には、対象となる請求年月における、「収益悪化限界額」と「マイナス収益額」とが登録される。
【００７７】
「収益悪化限界額」とは、診療管理システム１００を導入する医療機関における収益悪化の限界額であり、当該医療機関によって自由に設定することができる。「マイナス収益額」とは、対象となる請求年月における全患者の未収金の累積額である。当該金額はプラスで登録することとする。
【００７８】
つぎに、診療マスタについて説明する。図８は、診療マスタを示す説明図である。診療マスタ８００は、診療行為を特定するマスタファイルであり、出来高評価と包括評価とで共用される。診療マスタ８００には、診療行為ごとに、「診療行為名」と「診療報酬点数」と「効用マスタ連番」と「評価対象フラグ」と「処理フラグ」とが登録されている。
【００７９】
「診療行為名」は、薬剤や処理などの具体的な診療行為の名称である。「診療報酬点数」とは、診療行為に応じた診療報酬点数である。「効用マスタ連番」とは、後述する効用マスタに対応する連番である。この効用マスタ連番により、診療行為と効用とが関連付けられる。
【００８０】
「評価対象フラグ」は、クライアント端末１０２から入力された診療行為（以下、「入力診療行為」と称す。）が、出来高評価対象（フラグ＝０）の診療行為であるか、包括評価対象（フラグ＝１）の診療行為であるかを識別するフラグである。出来高評価となる診療行為としては、たとえば、手術料、麻酔料、診療報酬点数が１０００点以上の処置などの技術的な行為である。一方、包括評価となる診療行為としては、たとえば、入院基本料、画像診断、投薬、注射、診療報酬点数が１０００点未満の処置である。
【００８１】
「処置フラグ」は、入力診療行為が処置であるか否かを判定するためのフラグである。「０」であれば処置に該当し、「１」であれば処置以外の行為となる。なお、「処置」とは、手術と違い、たとえば人口透析のように、繰り返しておこなう技術的な診療行為である。
【００８２】
つぎに、効用マスタについて説明する。図９は、効用マスタを示す説明図である。効用マスタ９００は、診療行為に対応する効用を取得するためのマスタファイルであり、出来高評価と包括評価とで共用される。効用マスタ９００には、連番ごとに、効用の内容が登録されている。
【００８３】
（診療管理装置１０１の機能的構成）
つぎに、この発明の実施の形態にかかる診療管理装置１０１の機能的構成について説明する。図１０は、この発明の実施の形態にかかる診療管理装置１０１の機能的構成を示すブロック図である。図１０において、診療管理装置１０１は、記憶部１００１と、入力部１００２と、判定部１００３と、判断部１００４と、決定部１００５と、出力部１００６と、を備えている。
【００８４】
まず、記憶部１００１は、図３〜図９に示した各種マスタ３００〜９００を記憶する。記憶部１００１は、具体的には、たとえば、図２に示したＲＯＭ２０２、ＲＡＭ２０３、ＨＤ２０５などの記録媒体によって、その機能を実現する。
【００８５】
入力部１００２は、診療管理に関するデータの入力を受け付ける。診療管理に関するデータとしては、具体的には、たとえば、図３〜図９に示した各種マスタの登録、更新、呼び出しに関する情報や、患者の傷病に応じた診療行為が含まれる。この入力部１００２によって入力された診療行為を「入力診療行為」と称す。
【００８６】
また、入力部１００２は、クライアント端末１０２からネットワーク１１０を介して送信されてくる診療管理に関するデータの入力を受け付ける。また、医師または医事課の担当者が直接、診療管理装置１０１を操作することで、診療管理に関する情報の入力を受け付けることとしてもよい。
【００８７】
また、判定部１００３は、入力診療行為が、出来高評価または包括評価のうちいずれの評価の対象となる診療行為であるか否かを判定する。この判定は、図８に示した診療マスタ８００を参照することにより判定することができる。
【００８８】
また、判断部１００４は、入力診療行為の請求方式（出来高評価または包括評価）に応じて、金額情報の大小を判断する。具体的には、出来高評価の場合、以下の１）〜３）の判断を実行し、包括評価の場合、以下の４）の判断を実行する。
【００８９】
１）患者の入力診療行為に応じた請求金額が患者の傷病に応じた一部負担金一月上限額よりも大きいか否かを判断する。
２）上記請求金額と上記一部負担金一月上限額との差額が所定の差額請求上限額よりも大きいか否かを判断する。
３）患者の未収金の金額が所定の未収金限界額よりも大きいか否かを判断する。
４）医療機関における患者未収金の累積額が、医療機関における所定の医業収益悪化限界額よりも大きいか否かを判断する。
【００９０】
また、決定部１００５は、入力診療行為の診療報酬点数に基づいて、入力診療行為と同効用の診療行為の中から医師におこなわせる診療行為を決定する。決定部１００５は、具体的には、上述した判定部１００３による１）〜４）の判断結果に応じて医師におこなわせる診療行為を決定する。
【００９１】
具体的には、出来高評価の場合、以下の５）〜１０）の決定を実行し、包括評価の場合、以下の１１）および１２）の判断を実行する。
【００９２】
５）上記１）において、患者の入力診療行為に応じた請求金額が患者の傷病に応じた一部負担金一月上限額よりも大きいと判断された場合、医師におこなわせる診療行為を、入力診療行為と同効用の診療行為のうち入力診療行為の診療報酬点数よりも高い診療報酬点数の診療行為に決定する。
【００９３】
出来高評価の対象となる診療行為は、診療報酬点数が高ければ高いほど診療報酬額が高くなる。したがって、５）の決定により、入力診療行為よりも診療報酬点数が高い同効用の診療行為を選択するように医師に促すことで、医業収益の向上を図ることができる。
【００９４】
６）上記１）において、上記請求金額が上記一部負担金一月上限額以下であると判断された場合、医師におこなわせる診療行為を、入力診療行為と同効用の診療行為のうち入力診療行為の診療報酬点数よりも低い診療報酬点数の診療行為に決定する。
【００９５】
出来高評価の対象となる診療行為は、診療報酬点数が高ければ高いほど診療報酬額が高くなる一方、一部負担金一月上限額以内であれば、患者が負担することとなる。したがって、６）の決定により、入力診療行為よりも診療報酬点数が低い同効用の診療行為を選択するように医師に促すことで、患者の負担額の低減化を図ることができる。
【００９６】
７）上記２）において、上記請求金額と上記一部負担金一月上限額との差額が所定の差額請求上限額よりも大きいと判断された場合、医師におこなわせる診療行為を、入力診療行為と同効用の診療行為のうち入力診療行為の診療報酬点数よりも高い診療報酬点数の診療行為に決定する。
【００９７】
出来高評価の対象となる診療行為は、診療報酬点数が高ければ高いほど診療報酬額が高くなる一方、一部負担金一月上限額以内であれば、患者が負担することとなる。したがって、差額が大きい場合には、７）の決定により、入力診療行為よりも診療報酬点数が高い同効用の診療行為を選択するように医師に促すことで、差額を小さくすることができる。これにより、一部負担金一月上限額を超えれば、患者が加入している保険者から診療報酬額を確実に取得することができる。
【００９８】
８）上記２）において、上記差額が所定の上記差額請求上限額以下であると判断された場合、医師におこなわせる診療行為を、入力診療行為と同効用の診療行為のうち入力診療行為の診療報酬点数よりも低い診療報酬点数の診療行為に決定する。
【００９９】
出来高評価の対象となる診療行為は、診療報酬点数が高ければ高いほど診療報酬額が高くなる一方、一部負担金一月上限額以内であれば、患者が負担することとなる。したがって、差額が小さい場合には、８）の決定により、入力診療行為よりも診療報酬点数が低い同効用の診療行為を選択するように医師に促すことで、可能な限り患者の負担額の低減化を図ることができる。
【０１００】
９）上記３）において、患者の未収金の金額が所定の未収金限界額以下であると判断された場合、医師におこなわせる診療行為を、入力診療行為と同効用の診療行為のうち入力診療行為の診療報酬点数よりも高い診療報酬点数の診療行為に決定する。
【０１０１】
この場合の入力診療行為は出来高評価の対象となる診療行為であるため、診療報酬点数が高ければ高いほど診療報酬額が高くなる一方、患者の未収金の金額は医療機関が負担することとなる。したがって、未収金の金額が小さい場合には、患者にとっては負担が軽いと考えられるため、９）の決定により、入力診療行為よりも診療報酬点数が高い同効用の診療行為を選択するように医師に促すことで、医業収益の向上を図ることができる。
【０１０２】
１０）上記３）において、患者の未収金の金額が所定の未収金限界額よりも大きいと判断された場合、医師におこなわせる診療行為を、入力診療行為と同効用の診療行為のうち入力診療行為の診療報酬点数よりも低い診療報酬点数の診療行為に決定する。
【０１０３】
この場合の入力診療行為は出来高評価の対象となる診療行為であるため、診療報酬点数が高ければ高いほど診療報酬額が高くなる一方、患者の未収金の金額は医療機関が負担することとなる。したがって、未収金の金額が大きい場合には、１０）の決定により、入力診療行為よりも診療報酬点数が低い同効用の診療行為を選択するように医師に促すことで、医療機関の立替払いの軽減化を図ることができる。
【０１０４】
１１）上記４）において、医療機関における患者未収金の累積額が、医療機関における所定の医業収益悪化限界額以下であると判断された場合、医師におこなわせる診療行為を、入力診療行為と同効用の診療行為のうち入力診療行為の診療報酬点数よりも低い診療報酬点数の診療行為に決定する。
【０１０５】
包括評価の対象となる診療行為の場合、その診療報酬点数にかかわらず傷病に応じた一定の診療報酬額となる。したがって、診療報酬点数を考慮して、入力診療行為と同効用の診療行為を選択するように医師に促すことで、医業収益に反映されない診療行為の実施を防止して、医業収益の向上を図ることができる。
【０１０６】
１２）上記４）において、医療機関における患者未収金の累積額が、医療機関における所定の医業収益悪化限界額よりも大きいと判断された場合、医師におこなわせる診療行為を、入力診療行為と同効用の診療行為のうち入力診療行為の診療報酬点数よりも低い診療報酬点数の診療行為であって、かつ、最低の診療報酬点数の診療行為に決定する。
【０１０７】
医業収益が悪化している場合、入力診療行為よりも診療報酬点数が高い同効用の診療行為をおこなうと、さらに医業収益が悪化する。したがって、入力診療行為よりも診療報酬点数が低い同効用の診療行為を選択するように医師に促すことで、医業収益の向上を図ることができる。
【０１０８】
また、出力部１００６は、決定部１００５によって決定された診療行為に関するデータを出力する。具体的には、たとえば、ネットワーク１１０を介してクライアント端末１０２に送信する。また、決定された診療行為に関するデータとともに、医療機関の収益悪化に関する警告メッセージを出力することとしてもよい。
【０１０９】
また、送信先となるクライアント端末１０２の表示画面には、決定された診療行為や警告メッセージが表示されることとなる。なお、医師または医事課の担当者が直接、診療管理装置１０１を操作することで、決定された診療行為に関するデータや警告メッセージが診療管理装置１０１の表示画面に表示されることとしてもよい。これにより、医業収益の悪化を医師に告知することができ、医業収益の向上を図ることができる。
【０１１０】
なお、上述した入力部１００２、判定部１００３、判断部１００４、決定部１００５、および出力部１００６は、具体的には、たとえば、図２に示したＲＯＭ２０２、ＲＡＭ２０３、ＨＤ２０５などの記録媒体に記録されたプログラムを、ＣＰＵ２０１が実行することによって、またはＩ／Ｆ２０９によって、その機能を実現する。
【０１１１】
（診療管理処理）
つぎに、この発明の実施の形態にかかる診療管理装置１０１の診療管理処理手順について説明する。図１１は、この発明の実施の形態にかかる診療管理装置１０１の診療管理処理手順を示すフローチャートである。図１１において、まず、患者登録・変更処理を実行する（ステップＳ１１０１）。この患者登録・変更処理は、おもに医事課のクライアント端末１０２からの指示により実行する。そのあと、診療行為入力処理を実行する（ステップＳ１１０２）。この診療行為入力処理は、おもに医師のクライアント端末１０２からの指示により実行する。
【０１１２】
なお、患者登録・変更処理をする場合、クライアント端末１０２には、患者登録画面が表示される。図１２は、新患登録の場合の患者登録画面の一例を示す説明図である。この患者登録画面１２００は、クライアント端末１０２から診療管理装置１０１に新患登録要求をすることで、当該クライアント端末１０２に表示される。
【０１１３】
患者登録画面１２００において、領域１２０１には、患者の氏名、そのフリガナ、生年月日、性別などの個人情報が入力可能であり、領域１２０２には、カルテ番号、主科、主保険、主治医といった診療情報が入力可能であり、領域１２０３には、保険者番号など各種保険情報が入力可能である。そして、クライアント端末１０２から必要な情報を入力して、確定ボタン１２０４をクリックすることで、患者マスタ３００に新規登録することができる。
【０１１４】
図１３は、既登録の患者登録画面の一例を示す説明図である。この患者登録画面１３００は、クライアント端末１０２から診療管理装置１０１に患者番号を送信することで、当該患者番号に該当する患者情報を患者マスタ３００から呼び出され、クライアント端末１０２に送信される。そして、クライアント端末１０２に表示される。
【０１１５】
図１３において、領域１３０１には、患者の氏名、そのフリガナ、生年月日、性別などの個人情報が表示されており、領域１３０２には、カルテ番号、主科、主保険、主治医といった診療情報が表示されており、領域１３０３には、保険者番号など各種保険情報が表示されている。また、クライアント端末１０２を操作することで、内容を変更することができる。そして、確定ボタン１３０４をクリックすることで、診療管理装置１０１の患者マスタ３００に反映することができる。
【０１１６】
（患者登録・変更処理）
つぎに、図１１に示した患者登録・変更処理（ステップＳ１１０１）について詳細に説明する。図１４は、図１１に示した患者登録・変更処理手順を示すフローチャートである。
【０１１７】
図１４において、まず、クライアント端末１０２から新患登録要求が受信されたか否かを判断する（ステップＳ１４０１）。新患登録要求が受信された場合（ステップＳ１４０１：Ｙｅｓ）、クライアント端末１０２に新患の患者登録画面データを送信し（ステップＳ１４０２）、ステップＳ１４０６に移行する。これにより、図１２に示した患者登録画面１２００がクライアント端末１０２に表示される。
【０１１８】
一方、ステップＳ１４０１において、新患登録要求が受信されなかった場合（ステップＳ１４０１：Ｎｏ）、クライアント端末１０２から患者番号が受信されたか否かを判断する（ステップＳ１４０３）。患者番号が受信されていない場合（ステップＳ１４０３：Ｎｏ）、ステップＳ１４０１に戻る。
【０１１９】
一方、ステップＳ１４０３において、患者番号が受信された場合（ステップＳ１４０３：Ｙｅｓ）、受信された患者番号に合致する患者情報を患者マスタ３００から抽出し（ステップＳ１４０４）、当該患者情報をクライアント端末１０２に送信し（ステップＳ１４０５）、ステップＳ１４０６に移行する。これにより、図１３に示した患者登録画面１３００がクライアント端末１０２に表示される。
【０１２０】
つぎに、ステップＳ１４０６において、クライアント端末１０２から患者情報が受信されるのを待ち受け（ステップＳ１４０６：Ｎｏ）、患者情報が受信された場合（ステップＳ１４０６：Ｙｅｓ）、受信された患者情報を患者マスタ３００に反映（新規登録・更新）する（ステップＳ１４０７）。
【０１２１】
そして、患者マスタ３００に反映された患者情報にあらたな傷病名が登録されたか否かを判断する（ステップＳ１４０８）。具体的には新規登録の場合は傷病名が登録されているか否かを判断すればよく、更新の場合には更新前後の傷病名を比較することで判断することができる。
【０１２２】
あらたな傷病名が登録された場合（ステップＳ１４０８：Ｙｅｓ）、一部負担金一月上限額設定処理を実行する（ステップＳ１４０９）。一方、あらたな傷病名が登録されていない場合（ステップＳ１４０８：Ｎｏ）、包括請求額変更処理を実行する（ステップＳ１４１０）。このあと、図１１に示したステップＳ１１０２に移行する。
【０１２３】
つぎに、図１４に示した一部負担金一月上限額設定処理（ステップＳ１４０９）の詳細について説明する。図１５は、一部負担金一月上限額設定処理手順を示すフローチャートである。
【０１２４】
図１５において、まず、患者の傷病名についての確定入力があったか否かを判断する（ステップＳ１５０１）。たとえば、図１４に示したステップＳ１４０８にて登録された傷病名が、医師が診断した傷病名と一致しているか否かを医師が確認し、一致している場合には、クライアント端末１０２を操作することで、確定入力をおこなう。一致していない場合には、傷病名が確定していないこととなる。また、患者情報の新規登録の場合も、医師の診断前であり傷病名が不明であるため、確定していないこととなる。
【０１２５】
このように確定入力がない場合（ステップＳ１５０１：Ｎｏ）、一部負担金一月上限額設定処理を終了して、図１１に示したステップＳ１１０２に移行する。一方、確定入力があった場合（ステップＳ１５０１：Ｙｅｓ）、一部負担金一月上限額マスタ４００から、登録されている傷病名を手がかりとして、一部負担金一月上限額および請求方式を抽出する（ステップＳ１５０２）。
【０１２６】
つぎに、一部負担金一月上限額マスタ４００から抽出された一部負担金一月上限額および請求方式を、当該患者の患者情報に書き込むことで、患者マスタ３００を更新する（ステップＳ１５０３）。そして、収納マスタ５００に、当該患者の今月分の請求金額があるか否かを判断する（ステップＳ１５０４）。今月分の請求金額がある場合（ステップＳ１５０４：Ｙｅｓ）は、傷病名が変更されたということであり、今月分の請求金額がない場合（ステップＳ１５０４：Ｎｏ）は、傷病名が変更されていないということである。
【０１２７】
請求金額がない場合（ステップＳ１５０４：Ｎｏ）、すなわち、傷病名変更がない場合、一部負担金一月上限額設定処理を終了して、図１１に示したステップＳ１１０２に移行する。
【０１２８】
一方、請求金額がある場合（ステップＳ１５０４：Ｙｅｓ）、傷病名変更があったと判断されるため、変更後の傷病名を手がかりとして、一部負担金一月上限額マスタ４００を参照して、一部負担金一月上限額または請求方式が傷病名変更後においても一致しているか否かを判断する（ステップＳ１５０５）。一致する場合（ステップＳ１５０５：Ｙｅｓ）、収納マスタ５００の登録内容と一致するため、一部負担金一月上限額設定処理を終了して、図１１に示したステップＳ１１０２に移行する。
【０１２９】
一方、一致しない場合（ステップＳ１５０５：Ｎｏ）、患者マスタ３００の一部負担金一月上限額および請求方式と収納マスタ５００の一部負担金一月上限額および請求方式とが一致しないため、傷病名変更後の一部負担金一月上限額および請求方式を収納マスタ５００に書き込むことで、収納マスタ５００を更新する（ステップＳ１５０６）。そして、一部負担金一月上限額設定処理を終了して、図１１に示したステップＳ１１０２に移行する。
【０１３０】
（包括請求額変更処理）
つぎに、図１４に示した包括請求額変更処理（ステップＳ１４１０）の詳細について説明する。図１６は、包括請求額変更処理手順を示すフローチャートである。図１６において、まず、患者マスタ３００に反映された患者情報の入外区分を参照して、当該患者が入院患者か外来患者であるかを判断する（ステップＳ１６０１）。
【０１３１】
入院患者である場合（ステップＳ１６０１：入院）、図１１に示したステップＳ１１０２に移行する。一方、外来患者である場合（ステップＳ１６０１：外来）、請求方式を判断する（ステップＳ１６０２）。そして、請求方式が出来高評価である場合（ステップＳ１６０２：出来高）、図１１に示したステップＳ１１０２に移行する。一方、請求方式が包括評価である場合（ステップＳ１６０２：包括）、在院日数に変更があったか否かを判断する（ステップＳ１６０３）。
【０１３２】
在院日数に変更がない場合（ステップＳ１６０３：Ｎｏ）、包括請求額変更処理を終了して、図１１に示したステップＳ１１０２に移行する。一方、在院日数に変更があった場合（ステップＳ１６０３：Ｙｅｓ）、包括評価においては、在院日数により、傷病名に応じた診療報酬点数が変化するため、変更後の在院日数により、傷病名に応じた新療報酬点数を求めて包括評価上限額を算出する（ステップＳ１６０４）。
【０１３３】
そして、算出されたあらたな包括評価上限額を、患者マスタ３００内に書き込むことで、更新する（ステップＳ１６０５）。そして、包括請求額変更処理を終了して、図１１に示したステップＳ１１０２に移行する。
【０１３４】
（診療行為入力処理）
つぎに、図１１に示した診療行為入力処理（ステップＳ１１０２）の詳細について説明する。図１７は、診療行為入力処理手順を示すフローチャートである。図１７において、まず、クライアント端末１０２に患者番号入力画面が表示されている状態において、クライアント端末１０２から患者番号が受信されたか否かを判断する（ステップＳ１７０１）。
【０１３５】
図１８は、患者番号入力画面の一例を示す説明図である。クライアント端末１０２では、この患者番号入力画面１８００において、患者番号入力欄１８０１に、診療行為をおこなう患者の患者番号を入力する。そして、検索開始ボタン１８０２をクリックすることで、患者番号入力欄１８０１に入力された患者番号が診療管理装置１０１に送信される。
【０１３６】
つぎに、図１７において、クライアント端末１０２から患者番号が受信された場合（ステップＳ１７０１：Ｙｅｓ）、受信された患者番号に合致する患者情報を患者マスタ３００から抽出して（ステップＳ１７０２）、クライアント端末１０２に患者情報を送信する（ステップＳ１７０３）。これにより、クライアント端末１０２には、診療管理装置１０１から送信されてくる患者情報を取り込むことで、電子カルテを表示することができる。
【０１３７】
図１９は、電子カルテの一表示例を示す説明図である。一般に「電子カルテ」とは、所定の法律上の要件を満たした電子化されたカルテであるが、本明細書では、そのようなカルテには限らず、法律上の要件を満たしていない簡易的な電子化されたカルテも、「電子カルテ」と称する。
【０１３８】
図１９において、電子カルテ１９００は、患者ごとに、当該患者の保険情報を表示する保険情報タブ１９０１、（過去の）傷病歴を表示する傷病歴タブ１９０２、患者の個人情報を表示する個人情報タブ１９０３、現在の病気・診療内容に関する経過・処置を表示する経過／処置タブ１９０４があり、図１９では、経過／処置タブ１９０４をクリックした場合の電子カルテ１９００の表示例を示している。
【０１３９】
経過／処置タブ１９０４の表示内容について、上段は過去におこなわれた診療行為を示す経過／処置の具体的内容が表示されている。一方、下段は今回の診療行為を入力するための領域である。
【０１４０】
図１７に戻って、つぎに、患者情報に傷病名が登録されているか否かを判断する（ステップＳ１７０４）。登録されていない場合（ステップＳ１７０４：Ｎｏ）、たとえば、その場で医師が患者を診断して、一部負担金一月上限額設定処理を実行する（ステップＳ１７０５）。この一部負担金一月上限額設定処理（ステップＳ１７０５）は、図１５に示した処理内容と同一であるため、その説明を省略する。なお、図１７においては、一部負担金一月上限額設定処理（ステップＳ１７０５）の処理終了後は、ステップＳ１７１２に移行する。
【０１４１】
一方、傷病名が登録されている場合（ステップＳ１７０４：Ｙｅｓ）、対象月の患者の請求金額が収納マスタ５００に登録されているか否かを判断する（ステップＳ１７０６）。登録されていない場合（ステップＳ１７０６：Ｎｏ）、患者マスタ３００から当該患者の一部負担金一月上限額および請求方式を取得し（ステップＳ１７０７）、ステップＳ１７１２に移行する。
【０１４２】
一方、対象月における患者の請求金額が収納マスタ５００に登録されている場合（ステップＳ１７０６：Ｙｅｓ）、当該患者の請求方式が、出来高評価であるか包括評価であるかを判断する（ステップＳ１７０８）。
【０１４３】
出来高評価である場合（ステップＳ１７０８：出来高）、当該患者の一部負担金一月上限額から、ステップＳ１７０６でチェックした患者の請求金額を減算して、一月残り患者請求額を取得するとともに、収納マスタ５００から請求方式を取得する（ステップＳ１７０９）。そして、ステップＳ１７１２に移行する。
【０１４４】
一方、ステップＳ１７０８において、請求方式が包括評価である場合（ステップＳ１７０８：包括）、収納マスタ５００の包括評価請求合計金額のリセット処理をおこなう（ステップＳ１７１０）。たとえば、本日はじめての診療である場合は、包括評価請求合計金額を「０」にする必要があるためリセットする。初めてでない場合には包括評価請求合計金額をそのままにしておく。
【０１４５】
そして、患者の一日当たりの包括評価上限額から、包括評価請求合計額を減算することにより、一日残り患者請求額を取得するとともに、収納マスタ５００から請求方式を取得する（ステップＳ１７１１）。そして、ステップＳ１７１２に移行する。
【０１４６】
つぎに、ステップＳ１７１２において、入外区分を判断する。外来患者である場合（ステップＳ１７１２：外来）、ステップＳ１７１４に移行する。一方、入院患者である場合（ステップＳ１７１２：入院）、ステップＳ１７０５，Ｓ１７０７，Ｓ１７０９またはＳ１７１１で取得した請求方式のチェックをおこなう（ステップＳ１７１３）。そして、請求方式が出来高評価である場合（ステップＳ１７１３：出来高）、ステップＳ１７１４に移行する。
【０１４７】
そして、ステップＳ１７１４において、クライアント端末１０２から診療行為が入力されたか否か、具体的には、クライアント端末１０２において入力された診療行為に関するデータが受信されたか否かを判断する。図２０は、クライアント端末１０２において診療行為が入力された電子カルテを示す説明図である。図２０においては、「レニベース錠５」を５錠３日分、すなわち１５錠の診療行為をおこなったことを示す診療行為データが電子カルテ２０００に表示されている。
【０１４８】
図１７に戻って、図２０に示したような診療行為が入力されてない場合（ステップＳ１７１４：Ｎｏ）、ステップＳ１７１６に移行する。一方、入力された場合（ステップＳ１７１４：Ｙｅｓ）、出来高評価処理を実行し（ステップＳ１７１５）、ステップＳ１７１６に移行する。出来高評価処理（ステップＳ１７１５）については後述する。
【０１４９】
そのあと、ステップＳ１７１６において、診療行為入力処理の終了指示がクライアント端末１０２から受け付けられたか否かを判断する。終了指示が受け付けられていない場合（ステップＳ１７１６：Ｎｏ）、ステップＳ１７１４に戻る。一方、終了指示が受け付けられた場合（ステップＳ１７１６：Ｙｅｓ）、診療行為入力処理を終了する。
【０１５０】
また、ステップＳ１７１３において、請求方式が包括評価であると判断された場合（ステップＳ１７１３：包括）、クライアント端末１０２から診療行為が入力されたか否かを判断する（ステップＳ１７１７）。入力されてない場合（ステップＳ１７１７：Ｎｏ）、ステップＳ１７２１に移行する。
【０１５１】
一方、入力された場合（ステップＳ１７１７：Ｙｅｓ）、入力された診療行為が包括対象の診療行為に該当するか、出来高評価対象の診療行為に該当するか否かを判断する（ステップＳ１７１８）。この判断は、一部負担金一月上限額マスタ４００を参照することで判断することができ、また、診断群分類表を用いて判断することもできる。診断群分類表を用いる場合には、上述した各種マスタと同様、診断群分類表も電子化して自動判断してもよく、また、紙媒体の診断群分類表を医師が参照して判断することとしてもよい。
【０１５２】
そして、ステップＳ１７１８において、出来高対象の診療行為であると判断された場合（ステップＳ１７１８：出来高）、ステップＳ１７１５と同様、出来高評価処理を実行し（ステップＳ１７１９）、包括対象の診療行為であると判断された場合（ステップＳ１７１８：包括）、包括評価処理を実行する（ステップＳ１７２０）。包括評価処理（ステップＳ１７２０）については後述する。
【０１５３】
そして、出来高評価処理（ステップＳ１７１９）または包括評価処理（ステップＳ１７２０）のあと、診療行為入力処理の終了指示がクライアント端末１０２から受け付けられたか否かを判断する（ステップＳ１７２１）。終了指示が受け付けられていない場合（ステップＳ１７２１：Ｎｏ）、ステップＳ１７１７に戻る。一方、終了指示が受け付けられた場合（ステップＳ１７２１：Ｙｅｓ）、診療行為入力処理を終了する。
【０１５４】
（出来高評価処理）
つぎに、図１７のステップＳ１７１５およびステップＳ１７１９に示した出来高評価処理の詳細について説明する。この出来高評価処理（ステップＳ１７１５，ステップＳ１７１９）では、診療行為一覧の表示パターンを特定するための処理フラグの決定処理と、決定された処理フラグに基づく診療行為表示処理とを実行する。
【０１５５】
処理フラグには、「０」〜「３」までの４種類があるが、この出来高評価処理（ステップＳ１７１５，ステップＳ１７１９）では、「０」および「１」のみを設定するため、ここでは、処理フラグ＝０と処理フラグ＝１について説明する。
【０１５６】
＜処理フラグ＝０＞
処理フラグ＝０は、医師によりクライアント端末１０２から入力された診療行為（入力診療行為）と同効用の診療行為のうち、入力診療行為よりも診療報酬点数が高い診療行為、または入力診療行為の診療報酬点数以上の診療行為（入力診療行為は含まれていてもよい）のみを診療マスタ８００から抽出して、クライアント端末１０２に一覧表示させるためのフラグである。
【０１５７】
これにより、請求額が一部負担金一月上限額（一般の患者であれば３割負担）を超えている場合に、同効用の診療行為のうち、医師が入力した診療行為よりも診療報酬点数の高い診療行為の指定を当該医師に対して促すことができる。したがって、超過分の請求額については、患者が加入している保険者から確実に取得することができ、医業収益の向上を図ることができる。
【０１５８】
＜処理フラグ＝１＞
処理フラグ＝１は、医師によりクライアント端末１０２から入力された診療行為（入力診療行為）と同効用の診療行為のうち、入力診療行為の診療報酬点数以下となる診療行為のみ（入力診療行為は含まれていてもよい）、または入力診療行為の診療報酬点数よりも低い診療行為を診療マスタ８００から抽出して、クライアント端末１０２に一覧表示させるためのフラグである。
【０１５９】
これにより、請求額が一部負担金一月上限額（一般の患者であれば３割負担）以内の場合に、同効用の診療行為のうち、医師が入力した診療行為の診療報酬点数以下の診療行為の指定を当該医師に対して促すことができる。したがって、患者の負担増大やこれにともなう未収金による医業収益の悪化を低減することができる。
【０１６０】
以下、処理フラグ＝０，１を用いた出来高評価処理（ステップＳ１７１５，ステップＳ１７１９）の処理手順について説明する。図２１は、出来高評価処理手順を示すフローチャートである。図２１において、まず、収納マスタ５００に登録されている対象月の請求金額が、患者マスタ３００に登録されている一部負担金一月上限額を超えているか否かを判断する（ステップＳ２１０１）。
【０１６１】
超えていると判断された場合（ステップＳ２１０１：Ｙｅｓ）、上述した処理フラグを、「処理フラグ＝０」に設定する（ステップＳ２１０２）。そして、ステップＳ２１０８の診療行為表示処理に移行する。これにより、同効用の診療行為のうち、医師が入力した診療行為よりも診療報酬点数の高い診療行為の指定を当該医師に対して促すことができ、医業収益の向上を図ることができる。
【０１６２】
一方、超えていないと判断された場合（ステップＳ２１０１：Ｎｏ）、対象月の請求金額が、一部負担金一月上限額を超えていなければ、診療報酬の点数が高い診療行為を実施しても、一部負担金一月上限額以上の金額を請求することができない。したがって、収納マスタ５００に登録されている対象月の請求金額と患者マスタ３００に登録されている一部負担金一月上限額との差額が、差額請求限度額マスタに登録されている差額請求限度額を超えているか否かを判断する（ステップＳ２１０３）。
【０１６３】
超えていると判断された場合（ステップＳ２１０３：Ｙｅｓ）、処理フラグを、「処理フラグ＝０」に設定する（ステップＳ２１０４）。そして、ステップＳ２１０８の診療行為表示処理に移行する。
【０１６４】
すなわち、この差額が小さければ、今回の診療行為により対象月の請求金額が一部負担金一月請求額を超えることとなる。したがって、その超過分の金額については、患者が加入している保険者から確実に取得することができ、医業収益の向上に繋がることとなる。
【０１６５】
一方、超えていないと判断された場合（ステップＳ２１０３：Ｎｏ）、ステップＳ２１０５に移行したあと、ステップＳ２１０８の診療行為表示処理に移行する。すなわち、差額が大きければ、診療報酬点数が高い診療行為をおこなっても、一部負担金一月上限額を超えないこととなるため、保険者から超過分の金額を受け取ることができず、かつ、患者の負担が増大する。
【０１６６】
患者の負担が増大すると、未収金が発生する可能性が高くなるため、このような場合には、同効用の診療行為のうち、診療報酬点数の低い診療行為を選択するように医師に促すことにより、患者から確実に請求金額を取得することができる。これにより、未収金の発生を防止して、医業収益の向上を図ることができる。
【０１６７】
また、ステップＳ２１０５において、当該患者の未収金の金額が、差額請求限度額マスタに登録されている未収金限界額を超えているか否かを判断する。超えていなければ（ステップＳ２１０５：Ｎｏ）、処理フラグを、「処理フラグ＝０」に設定する（ステップＳ２１０６）。そして、ステップＳ２１０８の診療行為表示処理に移行する。
【０１６８】
一方、超えている場合には（ステップＳ２１０５：Ｙｅｓ）、処理フラグを、「処理フラグ＝１」に設定する（ステップＳ２１０７）。そして、ステップＳ２１０８の診療行為表示処理に移行する。
【０１６９】
このように、未収金限界額を超えている場合には、当該患者に対して診療報酬点数が高い診療行為をおこなっても、患者からさらに請求できない。したがって、このような場合には、同効用の診療行為のうち、診療報酬点数が低い診療行為を選択するように医師に促すことにより、医業収益の悪化を防止することができる。
【０１７０】
（包括評価処理）
つぎに、図１７に示した包括評価処理（ステップＳ１７２０）の詳細について説明する。この包括評価処理（ステップＳ１７２０）では、上述した出来高評価処理と同様、診療行為一覧の表示パターンを特定するための処理フラグの決定処理と、決定された処理フラグに基づく診療行為表示処理とを実行する。
【０１７１】
処理フラグには、「０」〜「３」までの４種類があるが、この包括評価処理（ステップＳ１７２０）では、「２」および「３」のみを設定するため、ここでは、処理フラグ＝２と処理フラグ＝３の場合について説明する。
【０１７２】
＜処理フラグ＝２＞
処理フラグ＝２は、医師によりクライアント端末１０２から入力された診療行為（入力診療行為）と同効用の診療行為のうち、入力診療行為の診療報酬点数以下となる診療行為のみ（入力診療行為は含まれていてもよい）、または入力診療行為の診療報酬点数よりも低い診療行為を診療マスタ８００から抽出して、クライアント端末１０２に一覧表示させるためのフラグである。
【０１７３】
包括評価では、患者への請求額が『在院日数に応じた１日当たりの点数×医療機関別係数』となり、在院日数や医療機関別係数による違いはあるものの、診療行為ごとにほぼ定額となる。このため、同効用の診療行為のうち、診療報酬点数が低い診療行為を医師に薦めることで、医業収益を考慮した診療をおこなうことができ、医業収益の悪化を防止することができる。
【０１７４】
＜処理フラグ＝３＞
処理フラグ＝３は、医師によりクライアント端末１０２から入力された診療行為（入力診療行為）と同効用の診療行為のうち、入力診療行為の診療報酬点数よりも低く、かつ、診療報酬点数が最も低い診療行為（以下、「最低診療行為」と称する。）を診療マスタ８００から抽出して、医業収益が悪化している旨および最低診療行為に強制的に振り返る旨の警告メッセージも表示させるためのフラグである。
【０１７５】
すなわち、入力診療行為から、当該入力診療行為と同効用である最低診療行為に強制的に振り替える。これにより、医療機関において医業収益が悪化している場合には、その旨を警告メッセージによって告知することで、医業収益の改善を促すとともに、医業収益が改善されるまでは、同効用であれば診療報酬点数が最低となる診療行為を薦めることにより、医業収益のさらなる悪化を抑制することができる。
【０１７６】
以下、処理フラグ＝２，３を用いた包括評価処理（ステップＳ１７２０）の処理手順について説明する。図２２は、包括評価処理手順を示すフローチャートである。図２２において、まず、対象月で、医業収益設定マスタ７００に登録されている収益悪化限界額およびマイナス収益額を読み出し、マイナス収益額が収益悪化限界額を超えているか否かを判断する（ステップＳ２２０１）。
【０１７７】
マイナス収益額が収益悪化限界額を超えていない場合（ステップＳ２２０１：Ｎｏ）、処理フラグを、「処理フラグ＝２」に設定する（ステップＳ２２０２）。そして、ステップＳ２２０４の診療行為表示処理に移行する。一方、超えている場合（ステップＳ２２０１：Ｙｅｓ）、処理フラグを、「処理フラグ＝３」に設定する（ステップＳ２２０３）。そして、ステップＳ２２０４の診療行為表示処理に移行する。
【０１７８】
このように、「処理フラグ＝２」を設定することにより、同効用の診療行為のうち、診療報酬点数が低い診療行為をおこなうように医師に注意を促すことで、医業収益を考慮した診療をおこなうことができ、医業収益の悪化を防止することができる。
【０１７９】
また、「処理フラグ＝３」を設定することにより、当該医療機関において医業収益が悪化している旨を警告メッセージによって告知することで、医業収益の改善を促すとともに、医業収益が改善されるまでは、同効用であれば診療報酬点数が最低となる診療行為をおこなうように医師に注意を促すことにより、医業収益のさらなる悪化を抑制することができる。
【０１８０】
また、診療行為表示処理（ステップＳ２２０４）のあと、患者マスタ３００から当該患者の包括評価上限額を読み出し、診療行為表示処理（ステップＳ２２０４）において医師により指定された診療行為に関する包括評価の請求額が、包括評価上限額を超えているか否かを判断する（ステップＳ２２０５）。
【０１８１】
包括評価上限額を超過していない場合（ステップＳ２２０５：Ｎｏ）、包括評価処理を終了して、図１７に示したステップＳ１７２１に移行する。一方、包括評価上限額を超過している場合（ステップＳ２２０５：Ｙｅｓ）、超過分の金額をマイナス収益額に加算することで、マイナス収益額を更新する（ステップＳ２２０６）。そして、包括評価処理を終了して、図１７に示したステップＳ１７２１に移行する。このように、包括評価上限額の超過を判断することで、診療行為をおこなう都度、当該医療機関の医業収益が悪化しているか否かを監視することができる。
【０１８２】
（診療行為表示処理）
つぎに、図２１および図２２に示した診療行為表示処理（ステップＳ２１０８，Ｓ２２０４）を詳細に説明する。診療行為表示処理（ステップＳ２１０８，Ｓ２２０４）は、上述した処理フラグにより医業収益の観点から最適な診療行為を選択するように医師に促すための処理である。図２３は、診療行為表示処理手順を示すフローチャートである。
【０１８３】
図２３において、まず、診療マスタ８００と効用マスタ９００を用いて、入力診療行為と同効用の診療行為を抽出する（ステップＳ２３０１）。つぎに、「処理フラグ＝０」であるか否かを判断する（ステップＳ２３０２）、「処理フラグ＝０」である場合（ステップＳ２３０２：Ｙｅｓ）、入力診療行為が出来高評価対象の診療行為である。したがって、クライアント端末１０２に出来高評価に関する診療行為と同効用の診療行為の一覧情報（同効用一覧情報）を送信する（ステップＳ２３０３）。
【０１８４】
このとき送信される同効用一覧情報は、入力診療行為と同効用の診療行為のうち、入力診療行為よりも診療報酬点数が高い診療行為、または入力診療行為の診療報酬点数以上の診療行為（入力診療行為は含まれていてもよい）からなる一覧情報である。送信された診療行為一覧情報は、同効用一覧画面としてクライアント端末１０２に表示される。
【０１８５】
図２４は、同効用一覧画面の一例を示す説明図である。図２４に示した同効用一覧画面２４００において、領域２４０１には、医師が入力した入力診療行為とその診療報酬点数（図２４では、診療行為：「アリカンテ錠  ５ｍｇ」、診療報酬点数：「８点」）が表示されており、領域２４０２には、入力診療行為と同効用の診療行為のうち、入力診療行為よりも診療報酬点数が高い診療行為からなる一覧情報が表示されている。
【０１８６】
このように、出来高払いの場合、入力診療行為の診療報酬点数が低い場合であっても、入力診療行為の診療報酬点数よりも高い同効用の診療行為を選ぶことができ、医業収益の向上を図ることができる。
【０１８７】
また、図２４において、医師のクライアント端末１０２に表示されている同効用一覧画面２４００から診療行為が選択されるのを待ち受ける（ステップＳ２３０４：Ｎｏ）。そして、医師によりクライアント端末１０２から診療行為が選択された場合（ステップＳ２３０４：Ｙｅｓ）、ステップＳ２３１５に移行する。
【０１８８】
たとえば、医師が同効用一覧画面２４００の中の診療行為を患者に対しておこなった場合、その診療行為を同効用一覧画面２４００から選択することで、選択された診療行為（図２４中、ハッチングされた診療行為）を特定するデータが診療管理装置１０１に送信される。これにより、医師によりクライアント端末１０２から診療行為が選択されたこととなる（ステップＳ２３０４：Ｙｅｓ）。
【０１８９】
また、ステップＳ２３０２において、「処理フラグ≠０」であると判断された場合（ステップＳ２３０２：Ｎｏ）、「処理フラグ＝１」であるか否かを判断する（ステップＳ２３０５）。「処理フラグ＝１」である場合（ステップＳ２３０５：Ｙｅｓ）、入力診療行為が出来高評価対象の診療行為である。したがって、クライアント端末１０２に出来高評価に関する同効用一覧情報を送信する（ステップＳ２３０６）。
【０１９０】
このとき送信される診療行為一覧情報は、入力診療行為と同効用の診療行為のうち、入力診療行為よりも診療報酬点数が低い診療行為、または入力診療行為の診療報酬点数以下の診療行為（入力診療行為は含まれていてもよい）からなる一覧情報である。当該一覧情報は、診療行為一覧画面としてクライアント端末１０２に表示される。
【０１９１】
図２５は、同効用一覧画面の他の例を示す説明図である。図２５に示した同効用一覧画面２５００おいて、領域２５０１には、医師が入力した入力診療行為とその診療報酬点数（図２５では、診療行為：「レニベース錠  ５ｍｇ」、診療報酬点数：「４７点」）が表示されており、領域２５０２には、入力診療行為と同効用の診療行為のうち、入力診療行為よりも診療報酬点数が低い診療行為からなる一覧情報が表示されている。
【０１９２】
このように、出来高払いにおいて、請求額が一部負担金一月上限額（一般の患者であれば３割負担）以内の場合に、同効用の診療行為のうち、医師が入力した診療行為の診療報酬点数以下の診療行為の指定を当該医師に対して促すことができる。したがって、患者の負担増大やこれにともなう未収金による医業収益の悪化を低減することができる。
【０１９３】
また、医師のクライアント端末１０２に表示されている同効用一覧画面から診療行為が選択されるのを待ち受ける（ステップＳ２３０７：Ｎｏ）。そして、医師によりクライアント端末１０２から診療行為が選択された場合（ステップＳ２３０７：Ｙｅｓ）、ステップＳ２３０８に移行する。
【０１９４】
たとえば、医師が同効用一覧画面の中の診療行為を患者に対しておこなった場合、その診療行為を同効用一覧画面から選択することで、選択された診療行為を特定するデータが診療管理装置１０１に送信される。これにより、医師によりクライアント端末１０２から診療行為が選択されたこととなる（ステップＳ２３０４：Ｙｅｓ）。
【０１９５】
そして、ステップＳ２３０８において、ステップＳ２３０７で選択された診療行為による請求方式をチェックする（ステップＳ２３０８）。請求方式は、診療マスタ８００を用いてチェックすることができる。そして、出来高評価対象の診療行為であると判断された場合（ステップＳ２３０８：出来高）、ステップＳ２３１５に移行する。
【０１９６】
一方、包括評価対象の診療行為であると判断された場合（ステップＳ２３０８：包括）、請求方式が出来高評価から包括評価に変更されることとなるため、請求方式変更確認処理を実行する（ステップＳ２３０９）。請求方式変更確認処理の詳細については後述する。請求方式変更確認処理のあと、ステップＳ２３１５に移行する。
【０１９７】
また、ステップＳ２３０５において、「処理フラグ≠１」であると判断された場合（ステップＳ２３０５：Ｎｏ）、「処理フラグ＝２」であるか否かを判断する（ステップＳ２３１０）。「処理フラグ＝２」であると判断された場合（ステップＳ２３１０：Ｙｅｓ）、入力診療行為が包括評価対象の診療行為である。したがって、クライアント端末１０２に包括評価に関する同効用一覧情報を送信する（ステップＳ２３１１）。
【０１９８】
このとき送信される同効用一覧情報は、入力診療行為と同効用の診療行為のうち、入力診療行為よりも診療報酬点数が低い診療行為、または入力診療行為の診療報酬点数以下の診療行為（入力診療行為は含まれていてもよい）からなる一覧情報である。当該一覧情報は、図２５に示したような同効用一覧画面としてクライアント端末１０２に表示される。
【０１９９】
このように、包括評価の場合には、同効用の診療行為のうち診療報酬点数が低い診療行為を医師に薦めることで、医業収益を考慮した診療をおこなうことができ、医業収益の悪化を防止することができる。
【０２００】
また、医師のクライアント端末１０２に表示されている同効用一覧画面から診療行為が選択されるのを待ち受ける（ステップＳ２３１２：Ｎｏ）。そして、医師によりクライアント端末１０２から診療行為が選択された場合（ステップＳ２３１２：Ｙｅｓ）、ステップＳ２３１５に移行する。
【０２０１】
たとえば、医師が同効用一覧画面の中の診療行為を患者に対しておこなった場合、その診療行為を同効用一覧画面から選択することで、選択された診療行為を特定するデータが診療管理装置１０１に送信される。これにより、医師によりクライアント端末１０２から診療行為が選択されたこととなる（ステップＳ２３１２：Ｙｅｓ）。
【０２０２】
また、ステップＳ２３１０において、「処理フラグ≠２」であると判断された場合（ステップＳ２３１０：Ｎｏ）、「処理フラグ＝３」と判断される。「処理フラグ＝３」の場合も、入力診療行為が包括評価対象の診療行為であるが、図７に示した医業収益設定マスタ７００において、マイナス収益額が収益悪化限界額を超えているため（図２２に示したステップＳ２２０１：Ｙｅｓ）、包括評価においてはこれ以上診療報酬点数の高い診療行為をおこなうと収益悪化を増大させることとなる。
【０２０３】
したがって、医師によりクライアント端末１０２からの入力診療行為と同効用の診療行為のうち、入力診療行為の診療報酬点数よりも低く、かつ、診療報酬点数が最も低い診療行為（最低診療行為）を診療マスタ８００から抽出する（ステップＳ２３１３）。
【０２０４】
そして、医業収益が悪化している旨および最低診療行為に強制的に振り替る旨の警告メッセージを、クライアント端末１０２に送信する（ステップＳ２３１４）。これにより、クライアント端末１０２には、警告メッセージが表示されることとなる。
【０２０５】
最低診療行為をおこなった場合、医師は了解ボタン２５０１をクリックすると、その信号が診療管理装置１０１に送信される。診療管理装置１０１が当該信号を受信した場合、ステップＳ２３１５に移行する。
【０２０６】
図２６は、警告メッセージの表示例を示す説明図である。図２６において、医師がクライアント端末１０２に表示されている警告メッセージ画面２６００を見ることにより、医師が所属する医療機関の収益が悪化していることが認識できるため、今後、医師に対して注意を喚起することができる。
【０２０７】
また、同時に医師の入力診療行為と同効用である最低診療行為を表示されているため、医師に確認させることなく、患者に対して最低診療行為（図２６では、「アリカンテ錠  ５ｍｇ」）を適用することができる。したがって、診療時間の短縮化も図ることができる。
【０２０８】
最低診療行為をおこなった場合、医師は了解ボタン２６０１をクリックすると、その信号が診療管理装置１０１に送信される。診療管理装置１０１が当該信号を受信した場合、ステップＳ２３１５に移行する。
【０２０９】
このように、入力診療行為から、当該入力診療行為と同効用である最低診療行為に強制的に振り替えることにより、医療機関において医業収益が悪化している旨を警告メッセージによって告知することで、医師に対して医業収益の改善を促すことができる。また、医業収益が改善されるまでは、同効用であれば診療報酬点数が最低となる診療行為を薦めることにより、医業収益のさらなる悪化を抑制することができる。
【０２１０】
そして、図２３に示したステップＳ２３１５では、ステップＳ２３０４，Ｓ２３０７，Ｓ２３１２，およびＳ２３１４において選択された診療行為につき、上記式（１）に示したようにそれぞれの請求方式に基づいて請求金額を算出し、収納マスタ５００の当該患者の請求金額または／および包括評価請求額を更新する。
【０２１１】
たとえば、選択された診療行為が出来高評価対象の診療行為である場合には、収納マスタ５００の請求金額のみを更新し、包括評価対象の診療行為である場合には、請求金額および包括評価請求合計額を更新する。
【０２１２】
（請求方式変更確認処理）
つぎに、図２３に示した請求方式変更確認処理（ステップＳ２３０９）を詳細に説明する。図２７は、請求方式変更確認処理手順を示すフローチャートである。図２７において、まず、ステップＳ２３０７において選択された診療行為が、処置に該当するか否かを判断する（ステップＳ２７０１）。具体的には、診療マスタ８００の処置フラグにより判断する。
【０２１３】
処置に該当しない場合（ステップＳ２７０１：Ｎｏ）、請求方式変更確認処理を終了して、図２３に示したステップＳ２３１５に移行する。一方、処置に該当する場合（ステップＳ２７０１：Ｙｅｓ）、その診療報酬点数によっては、請求方式が出来高評価となったり、包括評価となったりするため、その処置の診療報酬点数が１０００点以上であるか否かを判断する（ステップＳ２７０２）。具体的には、診療マスタ８００の診療報酬点数により判断する。
【０２１４】
１０００点以上である場合（ステップＳ２７０２：Ｙｅｓ）、出来高評価対象の処置となるため、請求方式変更確認処理を終了する。一方、１０００点未満である場合（ステップＳ２７０２：Ｎｏ）、請求方式が出来高評価から包括評価に変更される。そして、この処置を診療行為としておこなうことにより、当該患者の包括評価上限額を超過するか否かを判断する（ステップＳ２７０３）。具体的には、患者マスタ３００の包括評価上限額により判断する。
【０２１５】
そして、包括評価上限額を超過していない場合（ステップＳ２７０３：Ｎｏ）、患者に対し医療行為に応じた金額を請求できるため、請求方式変更確認処理を終了して、図２３に示したステップＳ２３１５に移行する。一方、超過している場合（ステップＳ２７０３：Ｙｅｓ）、超過分の金額は、患者に請求することができず、医療機関が負担することとなる。
【０２１６】
したがって、このような場合には、医業収益設定マスタ７００の現在のマイナス収益額に、ステップＳ２７０３における超過分の金額を加算することで、マイナス収益額を更新する（ステップＳ２７０４）。これにより、請求方式変更確認処理を終了する。
【０２１７】
以上説明したように、この発明の実施の形態にかかる診療管理プログラム、該プログラムを記録した記録媒体、診療管理装置、および診療管理方法によれば、医師が診療行為を実施する場合に診療報酬点数を意識した同効果の診療行為を表示して医師に注意を促し、診療行為を変更させることができる。
【０２１８】
これにより、出来高払いの場合、患者が負担する３割以内のときは診療報酬点数が低い診療行為を、３割以上のときは診療報酬点数が高い診療行為を、包括払いの場合は診療報酬点数が低い診療行為をおこなうことにより医業収益の向上を図ることができる。
【０２１９】
なお、本実施の形態で説明した診療管理方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワーク１１０を介して配布することが可能な伝送媒体であってもよい。
【０２２０】
（付記１）患者の傷病に応じた診療行為に関するデータの入力を受け付けさせる入力工程と、
前記入力工程によって入力された診療行為（以下、「入力診療行為」という）に関するデータが入力された場合、前記入力診療行為の診療報酬点数に基づいて、前記入力診療行為と同効用の診療行為の中から医師におこなわせる診療行為を決定させる決定工程と、
前記決定工程によって決定された診療行為に関するデータを出力させる出力工程と、
をコンピュータに実行させることを特徴とする診療管理プログラム。
【０２２１】
（付記２）前記入力診療行為が、出来高評価または包括評価のうちいずれの評価の対象となる診療行為であるか否かを判定させる判定工程を、前記コンピュータに実行させ、
前記決定工程は、
さらに、前記判定工程によって判定された判定結果に基づいて、前記入力診療行為と同効用の診療行為の中から前記医師におこなわせる診療行為を決定させることを特徴とする付記１に記載の診療管理プログラム。
【０２２２】
（付記３）前記判定工程によって前記入力診療行為が前記出来高評価の対象となる診療行為であると判定された場合、前記患者の入力診療行為に応じた請求金額が前記患者の傷病に応じた一部負担金上限額よりも大きいか否かを判断させる判断工程を、前記コンピュータに実行させ、
前記決定工程は、
さらに、前記判断工程によって判断された判断結果に基づいて、前記入力診療行為と同効用の診療行為の中から前記医師におこなわせる診療行為を決定させることを特徴とする付記２に記載の診療管理プログラム。
【０２２３】
（付記４）前記決定工程は、
前記判断工程により、前記請求金額が前記一部負担金上限額よりも大きいと判断された場合、前記医師におこなわせる診療行為を、前記入力診療行為と同効用の診療行為のうち前記入力診療行為の診療報酬点数よりも高い診療報酬点数の診療行為に決定させることを特徴とする付記３に記載の診療管理プログラム。
【０２２４】
（付記５）前記決定工程は、
前記判断工程により、前記請求金額が前記一部負担金上限額以下であると判断された場合、前記医師におこなわせる診療行為を、前記入力診療行為と同効用の診療行為のうち前記入力診療行為の診療報酬点数よりも低い診療報酬点数の診療行為に決定させることを特徴とする付記３に記載の診療管理プログラム。
【０２２５】
（付記６）前記判断工程は、
さらに、前記請求金額と前記一部負担金上限額との差額が所定の差額請求上限額よりも大きいか否かを判断させ、
前記決定工程は、
前記判断工程により、前記差額が前記所定の差額請求上限額よりも大きいと判断された場合、前記医師におこなわせる診療行為を、前記入力診療行為と同効用の診療行為のうち前記入力診療行為の診療報酬点数よりも高い診療報酬点数の診療行為に決定させることを特徴とする付記５に記載の診療管理プログラム。
【０２２６】
（付記７）前記決定工程は、
前記判断工程により、前記差額が前記所定の差額請求上限額以下であると判断された場合、前記医師におこなわせる診療行為を、前記入力診療行為と同効用の診療行為のうち前記入力診療行為の診療報酬点数よりも低い診療報酬点数の診療行為に決定させることを特徴とする付記６に記載の診療管理プログラム。
【０２２７】
（付記８）前記判断工程は、
さらに、前記患者の未収金の金額が所定の未収金限界額よりも大きいか否かを判断させ、
前記決定工程は、
前記判断工程により、前記患者の未収金の金額が所定の未収金限界額以下であると判断された場合、前記医師におこなわせる診療行為を、前記入力診療行為と同効用の診療行為のうち前記入力診療行為の診療報酬点数よりも高い診療報酬点数の診療行為に決定させることを特徴とする付記７に記載の診療管理プログラム。
【０２２８】
（付記９）前記決定工程は、
前記判断工程により、前記患者の未収金の金額が前記所定の未収金限界額よりも大きいと判断された場合、前記医師におこなわせる診療行為を、前記入力診療行為と同効用の診療行為のうち前記入力診療行為の診療報酬点数よりも低い診療報酬点数の診療行為に決定させることを特徴とする付記８に記載の診療管理プログラム。
【０２２９】
（付記１０）前記判定工程によって前記入力診療行為が前記包括評価の対象となる診療行為であると判定された場合、医療機関における患者未収金の累積額が、前記医療機関における所定の医業収益悪化限界額よりも大きいか否かを判断させる判断工程を、前記コンピュータに実行させ、
前記決定工程は、
さらに、前記判断工程によって判断された判断結果に基づいて、前記医師におこなわせる診療行為を、前記入力診療行為と同効用の診療行為のうち前記入力診療行為の診療報酬点数よりも低い診療報酬点数の診療行為に決定させることを特徴とする付記２に記載の診療管理プログラム。
【０２３０】
（付記１１）前記決定工程は、
前記判断工程により、前記患者未収金の累積額が前記所定の医業収益悪化限界額よりも大きいと判断された場合、前記医師におこなわせる診療行為を、前記入力診療行為と同効用の診療行為のうち前記入力診療行為の診療報酬点数よりも低い診療報酬点数の診療行為であって、かつ、最低の診療報酬点数の診療行為に決定させることを特徴とする付記１０に記載の診療管理プログラム。
【０２３１】
（付記１２）前記出力工程は、
前記決定工程によって決定された診療行為に関するデータとともに、前記医療機関の収益悪化に関する警告メッセージを出力させることを特徴とする付記１１に記載の診療管理プログラム。
【０２３２】
（付記１３）前記入力工程は、
前記医師のクライアント端末から受信することによって前記患者の傷病に応じた診療行為に関するデータの入力を受け付けさせ、
前記出力工程は、
前記決定工程によって決定された診療行為に関するデータを、前記クライアント端末に表示可能となるように前記クライアント端末に送信させることを特徴とする付記１〜１２のいずれか一つに記載の診療管理プログラム。
【０２３３】
（付記１４）付記１〜１３のいずれか一つに記載の診療管理プログラムを記録した前記コンピュータに読み取り可能な記録媒体。
【０２３４】
（付記１５）患者の傷病に応じた診療行為の入力に関するデータを受け付ける入力手段と、
前記入力手段によって入力された診療行為（以下、「入力診療行為」という）に関するデータが入力された場合、前記入力診療行為の診療報酬点数に基づいて、前記入力診療行為と同効用の診療行為の中から医師におこなわせる診療行為を決定する決定手段と、
前記決定手段によって決定された診療行為に関するデータを出力する出力手段と、
を備えることを特徴とする診療管理装置。
【０２３５】
（付記１６）患者の傷病に応じた診療行為に関するデータの入力を受け付ける入力工程と、
前記入力工程によって入力された診療行為（以下、「入力診療行為」という）に関するデータが入力された場合、前記入力診療行為の診療報酬点数に基づいて、前記入力診療行為と同効用の診療行為の中から医師におこなわせる診療行為を決定する決定工程と、
前記決定工程によって決定された診療行為に関するデータを出力する出力工程と、
を含んだことを特徴とする診療管理方法。
【産業上の利用可能性】
【０２３６】
以上のように、本発明にかかる診療管理プログラム、該プログラムを記録した記録媒体、診療管理装置、および診療管理方法は、医療機関向けの診療管理に有用である。
【図面の簡単な説明】
【０２３７】
【図１】この発明の実施の形態にかかる診療管理システムのシステム構成図である。
【図２】図１に示したコンピュータ装置のハードウェア構成を示すブロック図である。
【図３】患者マスタを示す説明図である。
【図４】一部負担金一月上限額マスタを示す説明図である。
【図５】収納マスタを示す説明図である。
【図６】請求条件設定マスタを示す説明図である。
【図７】医業収益設定マスタを示す説明図である。
【図８】診療マスタを示す説明図である。
【図９】効用マスタを示す説明図である。
【図１０】この発明の実施の形態にかかる診療管理装置の機能的構成を示すブロック図である。
【図１１】この発明の実施の形態にかかる診療管理装置の診療管理処理手順を示すフローチャートである。
【図１２】新患登録の場合の患者登録画面の一例を示す説明図である。
【図１３】既登録の患者登録画面の一例を示す説明図である。
【図１４】図１１に示した患者登録・変更処理手順を示すフローチャートである。
【図１５】一部負担金一月上限額設定処理手順を示すフローチャートである。
【図１６】包括請求額変更処理手順を示すフローチャートである。
【図１７】診療行為入力処理手順を示すフローチャートである。
【図１８】患者番号入力画面の一例を示す説明図である。
【図１９】電子カルテの一表示例を示す説明図である。
【図２０】クライアント端末において診療行為が入力された電子カルテを示す説明図である。
【図２１】出来高評価処理手順を示すフローチャートである。
【図２２】包括評価処理手順を示すフローチャートである。
【図２３】診療行為表示処理手順を示すフローチャートである。
【図２４】同効用一覧画面の一例を示す説明図である。
【図２５】同効用一覧画面の他の例を示す説明図である。
【図２６】警告メッセージの表示例を示す説明図である。
【図２７】請求方式変更確認処理手順を示すフローチャートである。
【符号の説明】
【０２３８】
１００  診療管理システム
１０１  診療管理装置
１０２  クライアント端末
３００  患者マスタ
４００  一部負担金一月上限額マスタ
５００  収納マスタ
６００  請求条件設定マスタ
７００  医業収益設定マスタ
８００  診療マスタ
９００  効用マスタ
１００１  記憶部
１００２  入力部
１００３  判定部
１００４  判断部
１００５  決定部
１００６  出力部
１２００，１３００  患者登録画面
１８００  患者番号入力画面
１９００，２０００  電子カルテ
２４００，２５００  同効用一覧画面
２６００  警告メッセージ画面
【図１】
0004755904.tif 000002
【図２】
0004755904.tif 000003
【図３】
0004755904.tif 000004
【図４】
0004755904.tif 000005
【図５】
0004755904.tif 000006
【図６】
0004755904.tif 000007
【図７】
0004755904.tif 000008
【図８】
0004755904.tif 000009
【図９】
0004755904.tif 000010
【図１０】
0004755904.tif 000011
【図１１】
0004755904.tif 000012
【図１２】
0004755904.tif 000013
【図１３】
0004755904.tif 000014
【図１４】
0004755904.tif 000015
【図１５】
0004755904.tif 000016
【図１６】
0004755904.tif 000017
【図１７】
0004755904.tif 000018
【図１８】
0004755904.tif 000019
【図１９】
0004755904.tif 000020
【図２０】
0004755904.tif 000021
【図２１】
0004755904.tif 000022
【図２２】
0004755904.tif 000023
【図２３】
0004755904.tif 000024
【図２４】
0004755904.tif 000025
【図２５】
0004755904.tif 000026
【図２６】
0004755904.tif 000027
【図２７】
0004755904.tif 000028